(57)【特許請求の範囲】
【請求項１】
押出し成形により形成された電子楽器のパネルの内面に、該電子楽器の回路基板の端縁を挿入する受け溝と、該回路基板を挿通した止めネジの固定部とを設け、該パネルの内面に該回路基板の板面を沿わせて取付固定する装置に於いて、該受け溝を構成する該パネル側の受け部をその反対側の受け部よりも長い奥行きに形成すると共に該パネル側の受け部の前記反対側の受け部と対向しない位置に該受け溝の方向へ突出する突起部を形成したことを特徴とする電子楽器用回路基板取付装置。
【請求項２】
押出し成形により形成された電子楽器のパネルの内面に、該電子楽器の回路基板の端縁を挿入する受け溝と、該回路基板を挿通した止めネジの固定部とを設け、該パネルの内面に該回路基板の板面を沿わせて取付固定する装置に於いて、該受け溝を構成する該パネル側の受け部をその反対側の受け部よりも長い奥行きに形成すると共に該パネル側の受け部に該受け溝の方向へ突出する突起部を形成し、前記突起部及び前記固定部の各頂点を結ぶ線と平行に前記反対側の受け部の面を形成したことを特徴とする電子楽器用回路基板取付装置。
【発明の詳細な説明】
【０００１】
【発明の属する技術分野】
本発明は、電子鍵盤楽器などの電子楽器に、発音制御等の電子回路の基板を取付けする取付装置に関する。
【０００２】
【従来の技術】
従来、例えば図１に示すような電子鍵盤楽器ａの外装を構成するパネルｂにアルミの押出し成形材ｃを使用することは行われており、該パネルｂに該電子鍵盤楽器の電子回路基板ｄを取り付けることも行われている。該回路基板ｄは、組立工数を削減するために該パネルｂに簡単に取付けできることが要望され、この要望を満足するために該パネルｂの内面に、該回路基板の端縁を挿入する受け溝ｅと、該回路基板を挿通した止めネジｆの固定部ｇとを設け、該パネルの内面に該回路基板の板面を沿わせて取付固定することを考えた。
【０００３】
【発明が解決しようとする課題】
これによれば、該回路基板ｄを少ない本数のネジｆでパネルｂに固定できる利点があるが、該受け溝ｅを構成する両壁面ｊ、ｊを図２のように平行に形成すると、回路基板ｄとの間のクリアランスの確保が難しく、回路基板ｄの嵌合の管理が困難になる。すなわち、確実に回路基板ｄを保持するように該受け溝ｅの溝幅を狭くすると、組立時に図２（ａ）のように回路基板ｄの挿入が難しくなる心配があり、溝幅を広くすると図２（ｂ）のように回路基板ｄに遊動が生じる不都合がある。
【０００４】
こうした不都合を解消するため、該受け溝ｅの溝方向を図３のように回路基板ｄの設置方向に対して角度をずらして形成し、回路基板ｄを受け溝ｅ内に遊動しないように確実に保持すると共に、回路基板ｄを挿入するためのクリアランスを確保することを考えたが、該回路基板ｄはその端部が該受け溝ｅに嵌入しているために固定部ｇへネジ止めするときに湾曲し、その湾曲の程度は各回路基板で異なるのでパネルｂと回路基板ｄとの距離を一定に維持し管理することが困難であった。該パネルｂにキートップｈが複数個設けられ、これがストロークして回路基板ｄに設けた各タクトスイッチｉを夫々押圧する形式の楽器では、このパネルｂと回路基板ｄの距離が一定しないと各キートップｈの作動ストロークが一定せず、操作感にばらつきが生じて好ましくない。
【０００５】
本発明は、電子楽器のパネルに回路基板を簡単に且つ遊動しないように確実に取付け、しかも回路基板にたわみを生じない取付装置を提供することを目的とするものである。
【０００６】
【課題を解決するための手段】
本発明では、押出し成形等により形成された電子楽器のパネルの内面に、該電子楽器の回路基板の端縁を挿入する受け溝と、該回路基板を挿通した止めネジの固定部とを設け、該パネルの内面に該回路基板の板面を沿わせて取付固定する装置に於いて、該受け溝を構成する該パネル側の受け部をその反対側の受け部よりも長い奥行きに形成すると共に該パネル側の受け部に該受け溝の方向へ突出する突起部を形成することにより、上記の目的を達成するようにした。該突起部は該反対側の受け部と対向しない位置に形成することで、回路基板の挿入が容易になり、該突起部及び固定部の各頂点を結ぶ線と平行に該反対側の受け部の面を形成することで、パネルに沿った正確な距離で回路基板を取付けでき、こうした構成は、該パネルに出没自在にキートップを設け、該回路基板に該キートップの押圧により作動するタクトスイッチを設けた電子楽器に好都合に適用できる。
【０００７】
【発明の実施の形態】
図面に基づき本発明の実施の形態を説明すると、図４乃至図７は本発明を電子鍵盤楽器１に適用した実施例を示し、図４の符号２は腕木２ａ、２ａ間に配列した黒鍵と白鍵とからなる鍵、図５の符号３は木製の棚板を示す。該電子鍵盤楽器１の背面及び上面はアルミニウムの押出し成形材からなるパネル４で覆われ、該パネル４背後にスピーカー５を取付け、該スピーカー５の前方をスピーカーカバー６で覆うようにした。
【０００８】
該パネル４が棚板３と当接する端部４ａに、該棚板３の端面に当接する位置決めストッパー４ｂと、該棚板３の下面に当接してネジ１８で固定される固定片４ｃとを設けて正確に取付けできるようにした。また、該パネル４の内部には、該スピーカー５や鍵盤機構７の他に該電子楽器１のリズムなどを制御する複数個のタクトスイッチ８や電子回路を備えた電子回路基板９が設けられ、各タクトスイッチ８は、演奏者がその演奏中に操作が容易に行えるように該パネル４の上面に設けたキートップ１０により夫々作動される。
【０００９】
該回路基板９は、パネル４の上方の内面から突出する平行した２列の立壁１１、１２に取り付けられ、一方の立壁１１の先端に設けた受け溝１３に該回路基板９の端部を挟み込み、もう一方の立壁１２の頂部の溝状の固定部１５に該回路基板９を挿通した止めネジ１４を固定することにより取付けした。しかし、こうした取付けによると、該回路基板９をスムースに且つ緩みなく取り付けることが困難でパネル４と回路基板９との距離を正確に維持することも難しいので、本発明では、該受け溝１３を構成するパネル側の受け部１３ａの奥行きＬをその反対側の受け部１３ｂの奥行きＭよりも長く形成すると共に該パネル側の受け部１３ａに該受け溝１３の内部方向へ突出する突起部１６を形成し、該突起部１６の突出高さＮにより該受け溝１３の幅にゆとりを具備させ、そこに該回路基板９の端部を斜めに挿入したのち止めネジ１４で固定部１５に固定することでスムースで緩みのない回路基板９の取付けが行えるようにした。
【００１０】
図示の例では、両受け部１３ａ、１３ｂの端縁は丸味をもたせて形成し、該受け溝１３の溝方向を、該パネル４の面方向と同方向に形成して該回路基板９の板面を該パネル４の内面に沿わせて取付固定できるようにした。該突起部１６の頂部と固定部１５の頂部とを結ぶ線１７と平行になるように、該反対側の受け部１３ｂの面を形成しておくことで、該回路基板９をたわませることなく取付固定でき、該タクトスイッチ８とキートップ１０との間の距離を正確に設定できる。該固定部１５の形状は任意であり、ボスで構成してもよく、受け溝１３をプラスチック成型品で形成し立壁１１に取り付けるようにしてもよい。
【００１１】
図５に示した実施例は、アルミ押出し材で該パネル４を形成し、該突起部１６及び固定部１５の頂部を結ぶ線１７が該パネル４の内面と平行になるように設定したもので、該突起部１６を設けたことで該受け溝１３の幅に余裕が出来、該回路基板９の端部を斜めに挿入したのち固定部１５の１箇所にネジ止めすることで遊動しない組立作業を簡単に行え、該回路基板９にたわみが生じないのでタクトスイッチ８とキートップ１０との距離が一様になり、キートップ１０の操作感が良好になる。尚、該パネル４はプラスチック成形品で構成することも可能である。
【００１２】
【発明の効果】
以上のように本発明によるときは、電子楽器の回路基板の端縁を挿入する受け溝のパネル側の受け部を、その反対側の受け部よりも長い奥行きに形成し、該パネル側の受け部に該受け溝の方向へ突出する突起部を設けたので、該回路基板を余裕を持って確実に受け溝内へ挿入でき、パネルの固定部に回路基板をネジ止めするだけでこれにたわみを生じることなく簡単に且つ遊動しないように取付けできる等の効果が得られ、該突起部を該反対側の受け部と対向しない位置に形成しておくことで該受け溝の溝幅を実質的に拡大でき、該突起部及び固定部の各頂点を結ぶ線と平行に該反対側の受け部の面を形成することで、回路基板のたわみを防げてパネルと該回路基板の距離精度が高まり、キースイッチの操作感を一様化できる効果がある。
【図面の簡単な説明】
【図１】先に考えられた電子楽器の回路基板取付装置の截断側面図
【図２】図１の取付け部の拡大図
【図３】図１の他の取付け状態の截断側面図
【図４】本発明の実施の形態を示す平面図
【図５】図４の５−５線部分の拡大断面図
【図６】図５の要部の拡大図
【図７】図５の作動状態の説明図
【符号の説明】
４  パネル、８  タクトスイッチ、９  回路基板、１０  キースイッチ、１３  受け溝、１３ａ  パネル側の受け溝、１３ｂ  反対側の受け溝、１４  止めネジ、１５  固定部、１６  突起部、１７  線、
【図１】
0004445650.tif 000002
【図２】
0004445650.tif 000003
【図３】
0004445650.tif 000004
【図４】
0004445650.tif 000005
【図５】
0004445650.tif 000006
【図６】
0004445650.tif 000007
【図７】
0004445650.tif 000008